(57)【要約】      （修正有）【課題】視覚的効果に加えて音響効果が得られる灯篭を提供する。【解決手段】光を透過する透光部を有する中空状の灯篭本体１の内部に、電源部４からの給電によって発光する光源２（発光ダイオードなど）を設けた灯篭である。灯篭本体１内には、光源２のほか鐘５および当該鐘５を打ち鳴らす鳴鐘手段６が設けられる。鳴鐘手段６は、鐘５を叩くアーム部材７と、このアーム部材７に鐘５を叩く動作を行わせる駆動機構８と、により構成される。【選択図】図２
0003145189.tif 000002
【実用新案登録請求の範囲】
【請求項１】
光を透過する透光部を有する中空状の灯篭本体内に、電源部からの給電により発光する光源を設けた灯篭において、前記灯篭本体内に前記光源のほか、鐘および当該鐘を打ち鳴らす鳴鐘手段を設けたことを特徴とする灯篭。
【請求項２】
前記鳴鐘手段は、前記鐘を叩くアーム部材と当該アーム部材に前記鐘を叩く動作を行わせる駆動機構とにより構成されることを特徴とする請求項１記載の灯篭。
【請求項３】
前記アーム部材は、前記鐘に隣接する位置にて片持ち支持される帯状の板バネの自由端部に打撃用凸部を設けて構成されると共に、前記板バネは、前記打撃用凸部が前記鐘に近接する位置を初期位置として、その初期位置よりも前記打撃用凸部が前記鐘から隔たるようになる付勢位置と、前記鐘に前記打撃用凸部が当たる打撃位置との間で弾性変形を許容され、
前記駆動機構は、前記電源部からの給電により一方向に回転駆動するモータと、当該モータの動力を前記鐘の近隣に設けられる回転軸に伝達する減速歯車列とを有し、
前記回転軸には、前記アーム部材を構成する板バネを前記付勢位置に向けて周期的に押圧するカム部が設けられ、そのカム部による前記板バネの押圧が解除されたとき当該板バネが前記打撃位置に弾性変形する構成とされていることを特徴とする請求項２記載の灯篭。
【請求項４】
前記モータ及び前記減速歯車列が、防音材から成る格納容器に収容されていることを特徴とする請求項３記載の灯篭。
【請求項５】
前記鐘が椀形の御鈴であることを特徴とする請求項１〜４のいずれかに記載の灯篭。
【考案の詳細な説明】
【技術分野】
【０００１】
本考案は、仏壇や祭壇などに安置したり、お墓参りに携行したりして好適な灯篭に関するものである。
【背景技術】
【０００２】
従来、照明器具に属する灯篭として、軒先などに釣る釣灯篭、戸外に据え付ける台灯篭、河川や湖沼に浮かべる流し灯篭などが知られるが、従前の灯篭は石、竹、木、又は金属から成る枠に紙や紗などを張って火袋と呼ばれる灯篭本体とし、その内部に蝋燭を立てて火を灯す構成とされている。
【０００３】
しかし、蝋燭に火を灯すものでは火災を発生する危険性があり、特に枠が木製のものでは蝋燭が倒れた場合、その火が燃え移り、これが付近の可燃物に延焼して大火災につながる危険性があった。
【０００４】
そこで、特許文献１では、蝋燭に代えて発光ダイオード（ＬＥＤ）を光源として用い、その光源が乾電池を電源として点灯するようにしている。
【０００５】
又、特許文献２では、ＬＥＤを光源としながら、その電源となる蓄電池にソーラーモジュールから充電する構成としている。
【０００６】
【特許文献１】登録実用新案第３０７９４８０号公報
【特許文献２】登録実用新案第３１３０９５８号公報
【考案の開示】
【考案が解決しようとする課題】
【０００７】
上記のように、特許文献１、２に開示される灯篭ではＬＥＤを光源として利用することから、蝋燭に火を灯す灯篭に比べて灯篭本体や家屋等を焼失する危険性が極めて少なく、屋内等でも安心して使用することができるという利点を有する。しかしながら、特許文献１、２のいずれも蝋燭の火を光源とする従前の灯篭と同じく、照明機能を有して視覚的効果を発揮するに過ぎない。
【０００８】
本考案は以上のような事情に鑑みて成されたものであり、その目的は視覚的効果に加えて音響効果が得られる灯篭を提供することにある。
【課題を解決するための手段】
【０００９】
本考案は上記目的を達成するため、
光を透過する透光部を有する中空状の灯篭本体内に、電源部からの給電により発光する光源を設けた灯篭において、前記灯篭本体内に前記光源のほか、鐘および当該鐘を打ち鳴らす鳴鐘手段を設けたことを特徴とする。
【００１０】
加えて、前記鳴鐘手段は、前記鐘を叩くアーム部材と当該アーム部材に前記鐘を叩く動作を行わせる駆動機構とにより構成されることを特徴とする。
【００１１】
又、前記アーム部材は、前記鐘に隣接する位置にて片持ち支持される帯状の板バネの自由端部に打撃用凸部を設けて構成されると共に、前記板バネは、前記打撃用凸部が前記鐘に近接する位置を初期位置として、その初期位置よりも前記打撃用凸部が前記鐘から隔たるようになる付勢位置と、前記鐘に前記打撃用凸部が当たる打撃位置との間で弾性変形を許容され、
前記駆動機構は、前記電源部からの給電により一方向に回転駆動するモータと、当該モータの動力を前記鐘の近隣に設けられる回転軸に伝達する減速歯車列とを有し、
前記回転軸には、前記アーム部材を構成する板バネを前記付勢位置に向けて周期的に押圧するカム部が設けられ、そのカム部による前記板バネの押圧が解除されたとき当該板バネが前記打撃位置に弾性変形する構成とされていることを特徴とする。
【００１２】
更に、前記モータ及び前記減速歯車列が、防音材から成る格納容器に収容されていることを特徴とする。
【００１３】
尚、前記鐘には、椀形の御鈴を好適に用いることができるが、これを釣鐘とすることもできる。
【考案の効果】
【００１４】
本考案によれば、灯篭本体内に光源のほか鐘および当該鐘を打ち鳴らす鳴鐘手段を設けたことから、光源から放たれる光と鐘の音による相乗作用により大きな癒し効果が得られる。
【００１５】
特に、仏壇や祭壇に安置したりお墓参りに携行したりして、鐘の音を聞きながら厳粛な雰囲気の下で神仏に祈りを捧げることができる。
【００１６】
加えて、鐘を打ち鳴らす鳴鐘手段が鐘を叩くアーム部材と当該アーム部材に鐘を叩く動作を行わせる駆動機構とにより構成されることから、鐘を複数回繰り返して鳴らすことができる。
【００１７】
又、アーム部材に片持ち支持される板バネを用い、その自由端部に打撃用凸部を設けていることから、凸部を鐘に打ち付けた後、板バネの弾性復元力により凸部を鐘から瞬時に離すことができる。このため、鐘の音を良好に響かせることができる。
【００１８】
しかも、駆動機構を構成するモータ及び減速歯車列が、防音材から成る格納容器に収容されていることから、それらの駆動音が鐘の音色を損ねる雑音として外部に漏れ出すことを防止できる。
【考案を実施するための最良の形態】
【００１９】
以下、本考案を図面に基づいて詳しく説明する。図１は本考案に係る灯篭の好適な形態を示した斜視外観図である。図１において、１は中空状を成す灯篭本体であり、その底部には複数の支持脚１１が設けられている。
【００２０】
本例において、灯篭本体１は、支持脚１１を固定した矩形の座板部１２、その座板部１２上に設けられる角筒状の胴体部１３、及び胴体部１３の上に設けられる笠部１４から構成され、笠部１４の頂部には取手としての機能をもつ宝珠１５が取り付けられている。
【００２１】
係る灯篭本体１を構成する支持脚１１、座板部１２、胴体部１３、笠部１４、及び宝珠１５はいずれも木製であり、このうち支持脚１１は座板部１２にビス止めされ、その座板部１２に胴体部１３がビス止めされている。又、胴体部１３と笠部１４、及び笠部１４と宝珠１５は、それぞれ胴体部１３の内側からビス止めされ、体裁を損なわないよう工夫されている。
【００２２】
特に、胴体部１３には、光を透過する透光部１６が設けられている。本例において、透光部１６は、胴体部１３を形成する４つの平面のうち３面（正面および両側面）を部分的に切り抜いた横長の開口部１６ａに対し、胴体部１３の内側から光透過性のシート１６ｂを貼付して構成されている。シート１６ｂは、光透過性を有するガラスやフィルム、好ましくは和紙、磨りガラス、又は乳白色のフィルムといった半透明の薄膜であり、これによれば外部に光を漏らしながら、灯篭本体１に内蔵される後述の光源などを外部から視認不能にして見栄えを損ねない。尚、本例において、シート１６ｂには和紙を用いているが、このシート１６ｂを省略してもよい。
【００２３】
次に、図２は灯篭本体の内部構造を示す。図２において、２は上述の光源であり、本例ではこれに発光ダイオード（ＬＥＤ）が用いられる。係る光源２は、座板部１２上に固定した台座３上に固定され、その光軸が上記透光部１６に向けられている。
【００２４】
４は光源２に給電して当該光源を発光させる電源部であり、この電源部４は座板部１２の底面を切り欠いた凹部１２ａ内に電池ボックス４１を固定し、その電池ボックス４１内に電池４２を装着して構成される。尚、凹部１２ａには図示せぬリード線を通す穿孔が施され、これにより光源２と電池４２が導電接続されている。特に、本例において、電池ボックス４１には、電池４２として１．５Ｖの単三乾電池３本が装着され、このうち２本が光源２の電源として用いられ、他の１本が後述するモータの電源として用いられる。
【００２５】
又、図２から明らかなように、灯篭本体１内には鐘５が設けられる。鐘５は仏具として用いられる椀形の御鈴である。そして、本考案に係る灯篭によれば、鐘５を台座３上に固定し、その鐘５が鳴鐘手段６により打ち鳴らされる構成としてある。
【００２６】
鳴鐘手段６は、鐘５を叩くアーム部材７、及びそのアーム部材７に鐘５を叩く動作を行わせる駆動機構８により構成される。このうち、アーム部材７は帯状の板バネ７１を具備して構成される。板バネ７１は、台座３上に固定したブラケット７２により鐘５に隣接する位置にて片持ち支持されており、その自由端部には鐘５を打つ打撃用凸部７３が固設されている。
【００２７】
一方、駆動機構８は、電源部４からの給電により一方向に回転駆動するモータ８１と、モータの動力を鐘の近隣に設けられる回転軸８２に伝達する減速歯車列８３とを有して構成される。モータ８１及び減速歯車列８３は、一体のユニットとして防音材から成る格納容器８４に収容され、その格納容器８４が台座３の内部に収容されており、これによりモータ８１及び減速歯車列８３の駆動音が外部に漏れ出さぬよう配慮されている。
【００２８】
本例において、格納容器８４は、ゴム又は軟質樹脂から成るチューブ８４ａの両端に木材やゴムからなる端板８４ｂを嵌め込んで構成されており、チューブ８４ａには回転軸８２を通す小径の貫通孔のみ開口されている。そして、回転軸８２は、台座３を上方に貫通して鐘５の近隣に突出され、その一端（上端）に板バネ７２の自由端部を押圧するカム部８２ａが取り付けられる。特に、台座３の天板部には回転軸８２を回転自在に支持するスリーブ８５が取り付けられ、これにより回転軸８２の軸振れが防止されている。
【００２９】
尚、モータ８１と電源部４はリード線Ｌにより導電接続されるが、リード線Ｌは格納容器８４の端板８４ｂと台座３の側壁とを貫通して台座３の外部に引き出され、その一端が凹部１２ａ内を通じて電源部４に接続されている。
【００３０】
又、図３から明らかなように、減速歯車列８３は、モータのロータ軸に固定される第１ギア８３ａ、第１ギア８３ａに噛み合う大径ギア部を有する二段構造の第２ギア８３ｂ、第２ギア８３ｂの小径ギア部に噛み合う大径ギア部を有する二段構造の第３ギア８３ｃ、第３ギア８３ｃの小径ギア部に噛み合う大径ギア部を有する二段構造の第４ギア８３ｄ、第４ギア８３ｄの小径ギア部に噛み合う第５ギア８３ｅ、第５ギア８３ｅと同軸上に固定されるウォーム８３ｆ、及びウォーム８３ｆに噛み合うウォームホイール８３ｇを有し、そのウォームホイール８３ｇが回転軸８２の一端に固定されて当該回転軸８２を同期して回転駆動する構成とされている。ここに、本例では回転軸８２の回転数が７〜１０ｒｐｍとなるように減速比が設定されている。
【００３１】
次に、図４は灯篭本体内を上方からみた状態を示す。図４において、板バネ７１は実線で示される位置を初期位置として、その初期位置よりも打撃用凸部７３が鐘５から隔たるようになる付勢位置（図４の一点鎖線で示される位置）と、打撃用凸部７３が鐘５に当たる打撃位置との間で弾性変形を許容されており、上記初期位置では打撃用凸部７３が鐘５に接触せずして近接するようになっている。
【００３２】
又、図４から明らかなように、カム部８２ａは回転軸８２を中心として一方向（図４において時計回り）に回転しながら、上記初期位置にある板バネ７１の自由端部を上記付勢位置に向けて周期的の押圧するようになっている。そして、カム部８２ａによる板バネ７１の押圧が解除されたとき当該板バネ７１がその弾性復元力をもって上記初期位置に向かい、更にその初期位置を超えて上記打撃位置まで達し、これにより打撃用凸部７３が鐘５に当たり、しかして鐘５が打ち鳴らされるようになっている。尚、打撃用凸部７３が鐘５に当たると、板バネ７１が上記初期位置まで瞬時に復帰して上記同様の動作が繰り返し行われることになる。
【００３３】
ここで、９ａは光源２に関する照明用スイッチ、９ｂは駆動機構８に関する鳴鐘用スイッチであり、それらスイッチ９ａ，９ｂの操作により光源２の点灯／消灯、およびモータ８１の駆動／停止を切り換えられるようになっている。
【００３４】
以上、本考案について係る灯篭の具体例を説明したが、鐘５は仏具用の御鈴に限らず、これを小型の釣鐘として、灯篭本体１内に釣るようにしてもよい。又、透光部１６は横長の形態に限らず、例えば図５(a)のような形態としてもよい。更に、鐘５の音が外部に良く抜けるよう、図５(b)のように胴体部１３の背面（上記スイッチ９ａ，９ｂは省略）に開口部１７を形成するようにしてもよい。
【００３５】
一方、上記例では乾電池式の電源部４として、この電源部４から光源やモータに給電が行われるようにしたが、これに加えて商用電源に接続するアダプタを備え、そのアダプタを通じて商用電源から光源やモータに電源部４に優先して給電が行われるようにしてもよく、これよれば祭壇などに安置して使用する場合、商用電源により光源を点灯させたり鐘を鳴らしたりすることができ、お墓参りなどに携行する場合にのみ電源部４を使用して乾電池の電力消耗を抑制することができる。
【図面の簡単な説明】
【００３６】
【図１】本考案に係る灯篭を示す斜視外観図
【図２】灯篭本体の内部を示す正面図
【図３】減速歯車列の構成例を示す説明図
【図４】灯篭本体の内部を示す平面図
【図５】本考案に係る灯篭の変更例であり、(a)は正面図、(b)は背面図
【符号の説明】
【００３７】
１  灯篭本体
１６  透光部
２  光源
４  電源部
５  鐘（御鈴）
６  鳴鐘手段
７  アーム部材
７１  板バネ
７３  打撃用凸部
８  駆動機構
８１  モータ
８２  回転軸
８２ａ  カム部
８３  減速歯車列
８４  格納容器
【図１】
0003145189.tif 000003
【図２】
0003145189.tif 000004
【図３】
0003145189.tif 000005
【図４】
0003145189.tif 000006
【図５】
0003145189.tif 000007